(57)【要約】【課題】ＯＦＤＭシンボルを精度良く識別可能なＯＦＤＭシンボル識別装置等を低コストに提供する。【解決手段】遅延部５０は、入力されたＯＦＤＭ信号Ｓ１３を遅延させて遅延信号を生成する。相関算出部７０は、ＯＦＤＭ信号Ｓ１３と上記遅延信号との相関を算出する。ピーク位置検出部９０は、上記相関のピーク位置を所定の時間長さの観測期間ごとに検出する。ピーク位置評価部１１０は、検出されたピーク位置を複数取得し、当該複数のピーク位置の差分（ピーク位置差分）に基づいてピーク位置の同一性を評価する。識別部１３０は、ピーク位置評価部によるピーク位置評価結果を複数種類取得し、当該複数種類のピーク位置評価結果のうちでピーク位置の同一性が最良なピーク位置評価結果に基づいて、ＯＦＤＭ信号の有効シンボル長およびガードインターバル長を識別する。【選択図】図２
2010278827.tif 000002
【特許請求の範囲】
【請求項１】
入力されたＯＦＤＭ信号を遅延させて遅延信号を生成する遅延部と、
前記ＯＦＤＭ信号と前記遅延信号との相関を算出する相関算出部と、
前記相関のピーク位置を所定の時間長さの観測期間ごとに検出するピーク位置検出部と、
検出された前記ピーク位置を複数取得し、当該複数のピーク位置の差分であるピーク位置差分に基づいて前記ピーク位置の同一性を評価するピーク位置評価部と、
前記ピーク位置評価部によるピーク位置評価結果を複数種類取得し、当該複数種類のピーク位置評価結果のうちで前記ピーク位置の同一性が最良なピーク位置評価結果に基づいて、前記ＯＦＤＭ信号の有効シンボル長およびガードインターバル長を識別する識別部と
を備える、ＯＦＤＭシンボル識別装置。
【請求項２】
請求項１に記載のＯＦＤＭシンボル識別装置であって、
前記遅延部は、前記遅延信号を生成するための遅延時間として、前記有効シンボル長の候補値を用い、
前記相関算出部は、前記相関の算出に、前記ガードインターバル長の候補値を用い、
前記ピーク位置検出部は、前記観測期間の前記所定の時間長さとして、検出対象とする前記相関に関与している前記有効シンボル長および前記ガードインターバル長の前記候補値を合算した値であるシンボル長の候補値を用い、
前記識別部は、前記有効シンボル長および前記ガードインターバル長の前記候補値のうちで前記最良のピーク位置評価結果に関与している候補値を、前記ＯＦＤＭ信号の前記有効シンボル長および前記ガードインターバル長として認定する、
ＯＦＤＭシンボル識別装置。
【請求項３】
請求項１または２に記載のＯＦＤＭシンボル識別装置であって、
前記ピーク位置評価部は、前記ピーク位置差分の絶対値の累積加算を行い、当該累積加算の結果を利用して前記ピーク位置評価結果を生成する、ＯＦＤＭシンボル識別装置。
【請求項４】
請求項３に記載のＯＦＤＭシンボル識別装置であって、
前記ピーク位置評価部は、前記ピーク位置差分の絶対値が、前記シンボル長の前記候補値から前記ピーク位置差分の絶対値を減算して得られる参考値に比べて大きい場合、前記ピーク位置差分の絶対値に代えて前記参考値を用いて前記累積加算を行う、ＯＦＤＭシンボル識別装置。
【請求項５】
請求項１ないし４のいずれか１項に記載のＯＦＤＭシンボル識別装置であって、
前記ピーク位置評価部は、
前記ピーク位置の検出結果が入力され、当該ピーク位置検出結果を次回の入力があるまで保持して出力する、第１の保持手段と、
前記第１の保持手段へ入力される前記ピーク位置検出結果と、前記第１の保持手段から出力される前記ピーク位置検出結果とについて前記ピーク位置差分を算出して出力する、第１の減算手段と
を含む、ＯＦＤＭシンボル識別装置。
【請求項６】
請求項１ないし５のいずれか１項に記載のＯＦＤＭシンボル識別装置であって、
前記ピーク位置評価部は、
前記ピーク位置の検出結果が入力され、当該ピーク位置検出結果を次々回の入力があるまで保持して出力する、第２の保持手段と、
前記第２の保持手段へ入力される前記ピーク位置検出結果と、前記第２の保持手段から出力される前記ピーク位置検出結果とについて前記ピーク位置差分を算出して出力する、第２の減算手段と
を含む、ＯＦＤＭシンボル識別装置。
【請求項７】
請求項６に記載のＯＦＤＭシンボル識別装置であって、
前記ピーク位置評価部が、前記第１の保持手段と、前記第１の減算手段と、前記第２の保持手段と、前記第２の減算手段とを含む場合、前記第１の保持手段と前記第１の減算手段とによって算出された前記ピーク位置差分と、前記第２の保持手段と前記第２の減算手段とによって算出された前記ピーク位置差分との両方を前記累積加算の対象とする、ＯＦＤＭシンボル識別装置。
【請求項８】
請求項１ないし７のいずれか１項に記載のＯＦＤＭシンボル識別装置であって、
前記識別部は、前記最良のピーク位置評価結果が所定の基準を満足しない場合、前記有効シンボル長および前記ガードインターバル長を識別精度は不十分であると判断する、
ＯＦＤＭシンボル識別装置。
【請求項９】
請求項２ないし８のいずれか１項に記載のＯＦＤＭシンボル識別装置であって、
前記遅延部は、前記有効シンボル長の前記候補値のそれぞれに対応した複数の前記遅延信号を並列的に出力し、
前記相関算出部は、前記ＯＦＤＭ信号と前記複数の遅延信号のそれぞれとの前記相関を前記ガードインターバル長の前記候補値のそれぞれを用いて並列的に算出し、算出された複数の前記相関を並列的に出力し、
前記ピーク位置検出部は、前記複数の相関に対して前記ピーク位置の検出を並列的に行い、前記複数の相関に対応する複数のピーク位置検出結果を並列的に出力し、
前記ピーク位置評価部は、前記複数のピーク位置検出結果に対して前記ピーク位置の評価を並列的に行い、前記複数のピーク位置検出結果に対応する複数の前記ピーク位置評価結果を並列的に出力する、
を備えるＯＦＤＭシンボル識別装置。
【請求項１０】
請求項２ないし８のいずれか１項に記載のＯＦＤＭシンボル識別装置であって、
前記遅延部は、前記有効シンボル長の前記候補値のそれぞれに対応した複数の前記遅延信号を直列的に出力し、
前記相関算出部は、前記ＯＦＤＭ信号と前記複数の遅延信号のそれぞれとの前記相関を前記ガードインターバル長の前記候補値のそれぞれを用いて直列的に算出し、算出された複数の前記相関を直列的に出力し、
前記ピーク位置検出部は、前記複数の相関に対して前記ピーク位置の検出を直列的に行い、前記複数の相関に対応する複数のピーク位置検出結果を直列的に出力し、
前記ピーク位置評価部は、前記複数のピーク位置検出結果に対して前記ピーク位置の評価を直列的に行い、前記複数のピーク位置検出結果に対応する複数の前記ピーク位置評価結果を直列的に出力する、
を備えるＯＦＤＭシンボル識別装置。
【請求項１１】
請求項１ないし１０のいずれか１項に記載のＯＦＤＭシンボル識別装置を、受信したＯＦＤＭ信号のシンボルの有効シンボル長およびガードインターバル長を識別するＯＦＤＭシンボル識別部として備える、ＯＦＤＭ受信装置。
【発明の詳細な説明】
【技術分野】
【０００１】
本発明は、デジタル伝送方式の一例である直交周波数分割多重方式（Orthogonal Frequency Division Multiplexing：ＯＦＤＭ）の有効シンボル長およびガードインターバル長を識別可能なＯＦＤＭシンボル識別装置に係り、また、当該ＯＦＤＭシンボル識別装置を有するＯＦＤＭ受信装置に係る。
【背景技術】
【０００２】
ＯＦＤＭ信号受信装置の第１の従来例として、特許文献１に記載されたものがある。この受信装置では、受信信号と、この受信信号を一定の時間遅延させた遅延信号との積に基づいて相関信号を求める。遅延信号の遅延時間は、伝送される可能性のある有効シンボル長のそれぞれの時間長さに設定されている。このため、伝送される可能性のある有効シンボル長の数だけ、相関信号が求められる。
【０００３】
そして、これらの相関信号を一定の時間にわたって積分することにより、相関積分信号を求める。この際の積分時間は、伝送される可能性のあるガードインターバル長のそれぞれの時間長さに設定されている。このため、伝送される可能性のあるガードインターバル長の数だけ、相関積分信号が求められる。得られた各相関積分信号について、ピーク（ピーク信号）を検出・保持する。
【０００４】
その後、得られたピーク信号の大きさを比較判定部において比較し、ピーク値の検出パターンによって、受信信号の有効シンボル長およびガードインターバル長を判別する。
【０００５】
また、ＯＦＤＭ信号受信装置の第２の従来例として、特許文献２に記載されたものがある。この受信装置は、ガードインターバル長検出装置を有している。ガードインターバル長検出装置は、相関最大値位置情報出力手段と、ガードインターバル判定手段とを有している。
【０００６】
相関最大値位置情報出力手段は、ＯＦＤＭ信号と当該ＯＦＤＭ信号を一定の時間遅延させた遅延信号との相関を算出し、特定の区間内で最も相関の強い位置を相関最大値位置情報として出力する。ガードインターバル判定手段は、上記の相関最大値位置情報に基づいてガードインターバル長を検出する。
【先行技術文献】
【特許文献】
【０００７】
【特許文献１】特開平１０−３２７１２２号公報
【特許文献２】特開２００６−０４２２９７号公報
【発明の概要】
【発明が解決しようとする課題】
【０００８】
第１の従来例の受信装置は、上記のように、ピーク信号の大きさを用いてガードインターバル長を検出している。このため、受信信号のレベル変動が大きい場合、検出精度が劣化するという問題がある。
【０００９】
かかる問題点の解決策の一つとして、ピーク信号の大きさを利用しない第２の従来例が挙げられる。
【００１０】
しかし、第２の従来例には、装置コストが問題となる場合がある。より具体的には、最大相関位置の変動を解析するために、位置情報の分散値を算出する。分散値を算出するためには、位置情報の２乗の平均値と、位置情報の平均値の２乗値とを算出する必要がある。これらの演算をハードウェアで実現する場合、特に２乗の演算回路は回路規模が大きくなるので、装置コストが増大してしまう。
【００１１】
本発明は、ＯＦＤＭシンボルを精度良く識別可能なＯＦＤＭシンボル識別装置およびＯＦＤＭ受信装置を低コストに提供することを目的とする。
【課題を解決するための手段】
【００１２】
本発明に係るＯＦＤＭ信号識別装置は、入力されたＯＦＤＭ信号を遅延させて遅延信号を生成する遅延部と、前記ＯＦＤＭ信号と前記遅延信号との相関を算出する相関算出部と、前記相関のピーク位置を所定の時間長さの観測期間ごとに検出するピーク位置検出部と、検出された前記ピーク位置を複数取得し、当該複数のピーク位置の差分であるピーク位置差分に基づいて前記ピーク位置の同一性を評価するピーク位置評価部と、前記ピーク位置評価部によるピーク位置評価結果を複数種類取得し、当該複数種類のピーク位置評価結果のうちで前記ピーク位置の同一性が最良なピーク位置評価結果に基づいて、前記ＯＦＤＭ信号の有効シンボル長およびガードインターバル長を識別する識別部とを備える。
【発明の効果】
【００１３】
上記構成によれば、ピーク位置差分を利用して、入力ＯＦＤＭ信号の有効シンボル長およびガードインターバル長を識別する。このため、ピーク信号の大きさを利用してＯＦＤＭシンボルを識別する構成に比べて、良好な識別精度が得られる。また、ピーク位置の分散値を利用してＯＦＤＭシンボルを識別する構成に比べて、コストを削減することができる。
【図面の簡単な説明】
【００１４】
【図１】実施の形態１に係るＯＦＤＭ受信装置を例示するブロック図である。
【図２】実施の形態１に係るＯＦＤＭシンボル識別部を例示するブロック図である。
【図３】実施の形態１に係る遅延部の一例を示すブロック図である。
【図４】実施の形態１に係る遅延部の他の一例を示すブロック図である。
【図５】実施の形態１に係る相関算出部を例示するブロック図である。
【図６】実施の形態１に係るピーク位置検出部を例示するブロック図である。
【図７】実施の形態１に係るピーク位置評価部を例示するブロック図である。
【図８】実施の形態１に係るピーク位置差分算出処理部を例示するブロック図である。
【図９】実施の形態１に係る絶対値加算処理部を例示するブロック図である。
【図１０】実施の形態１に係る識別部を例示するブロック図である。
【図１１】実施の形態１の変形例１に係る識別部を例示するブロック図である。
【図１２】実施の形態１の変形例２に係る絶対値加算処理部を例示するブロック図である。
【図１３】実施の形態１の変形例２に係る絶対値加算処理部での処理を概説する模式図である。
【図１４】実施の形態１の変形例３に係るピーク位置差分算出処理部を例示するブロック図である。
【図１５】実施の形態１の変形例３に係る絶対値加算処理部の一例を示すブロック図である。
【図１６】実施の形態１の変形例３に係る絶対値加算処理部の他の一例を示すブロック図である。
【図１７】実施の形態２に係るＯＦＤＭシンボル識別部を例示するブロック図である。
【図１８】実施の形態２に係る遅延部を例示するブロック図である。
【図１９】実施の形態２に係る識別部を例示するブロック図である。
【発明を実施するための形態】
【００１５】
実施の形態１．
図１に、実施の形態１に係るＯＦＤＭ受信装置１０を例示するブロック図を示す。受信装置１０は、ＯＦＤＭ信号を有線または無線の方式で受信可能な装置であり、例えばデジタル放送受信装置、無線ＬＡＮ受信装置等を構成可能である。
【００１６】
例示の受信装置１０は、アナログ処理部１１と、Ａ／Ｄ変換部１２と、直交復調部１３と、有効シンボル抽出部１４と、ＦＦＴ部１５と、Ｐ／Ｓ変換部１６と、ＯＦＤＭシンボル識別部１７とを含んでいる。なお、図面では各種要素の表記を適宜、略記している。
【００１７】
アナログ処理部１１は、アナログのＯＦＤＭ信号を取得し、当該信号に所定のアナログ処理を施して出力する。所定のアナログ処理として、例えば、増幅器によるゲイン調整、ミキサーによる周波数変換、バンドパスフィルタによる帯域制限等が挙げられる。
【００１８】
Ａ／Ｄ変換部１２は、アナログ処理部１１からの出力信号を取得し、当該信号に対してアナログ／デジタル変換を行って出力する。
【００１９】
直交復調部１３は、Ａ／Ｄ変換部１２からの出力信号を取得し、当該信号を複素ベースバンド信号Ｓ１３に変換して出力する。
【００２０】
有効シンボル抽出部１４は、直交復調部１３からの出力信号Ｓ１３を取得し、当該信号からＯＦＤＭシンボルごとにガードインターバルを除去する。これにより、取得した信号Ｓ１３からＯＦＤＭシンボルの有効シンボルが抽出される。抽出された有効シンボルで構成される信号が有効シンボル抽出部１４から出力される。
【００２１】
ＦＦＴ部１５は、有効シンボル抽出部１４からの出力信号を取得し、当該信号に対して高速離散フーリエ変換を行う。これにより各サブキャリアに対応したパラレルデータが得られ、ＦＦＴ部１５から出力される。
【００２２】
Ｐ／Ｓ変換部１６は、ＦＦＴ部１５からの出力信号、すなわちパラレルデータを取得し、シリアルデータに変換する。これにより複素シンボルデータが得られ、Ｐ／Ｓ変換部１６から出力される。なお、Ｐ／Ｓ変換部１６から出力された信号、すなわち複素シンボルデータは、例えば不図示の構成によって再生処理等に供される。
【００２３】
ＯＦＤＭシンボル識別部１７は、直交復調部１３からの出力信号（複素ベースバンド信号）Ｓ１３を取得し、当該信号Ｓ１３のＯＦＤＭシンボルを識別、換言すれば同定する。より具体的には、有効シンボル長およびガードインターバル長を識別する。識別結果Ｓ１７、すなわち同定された有効シンボル長およびガードインターバル長は、有効シンボル抽出部１４と、ＦＦＴ部１５と、Ｐ／Ｓ変換部１６へ出力される。
【００２４】
有効シンボル抽出部１４では、シンボル識別結果Ｓ１７は、例えば、抽出すべき有効シンボル部分を決定するために、換言すれば除去すべきガードインターバル部分を決定するために利用される。また、ＦＦＴ部１５では、例えばＦＦＴサイズを設定するために、シンボル識別結果Ｓ１７が利用される。また、Ｐ／Ｓ変換部１６では、例えば、シンボル識別結果Ｓ１７に基づいてＰ／Ｓ変換処理の所望の設定がなされる。
【００２５】
このように、シンボル識別部１７が設けられていることにより、上記各部１４，１５，１６はＯＦＤＭ信号の特性に応じた適切な動作を実行することができる。つまり、受信装置１０は複数種類のＯＦＤＭ信号に対処可能である。
【００２６】
以下に、ＯＦＤＭシンボル識別部１７の具体例を説明する。図２に、シンボル識別部１７を例示するブロック図を示す。
【００２７】
例示のシンボル識別部１７は、遅延部５０と、相関算出部７０と、ピーク位置検出部９０と、ピーク位置評価部１１０と、識別部１３０とを含んでいる。
【００２８】
遅延部５０は、直交復調部１３から出力される複素ベースバンド信号Ｓ１３を識別対象信号として取得し、当該信号Ｓ１３を所定の遅延時間だけ遅延させた遅延信号を生成して出力する。遅延時間は、識別対象信号Ｓ１３に採用されている可能性のある有効シンボル長と同じ時間長さに設定される。
【００２９】
ここでは、有効シンボル長として可能性のある値（候補値）がＡ，Ｂ，Ｃ（Ａ＜Ｂ＜Ｃとする）の３種類の場合を例示する。なお、時間長さＡを有する有効シンボル長等に参照符号Ａを用いることにし、他についても同様とする。この例の場合、３種類の時間長さＡ，Ｂ，Ｃで以て３種類の遅延信号Ｓ５０Ａ，Ｓ５０Ｂ，Ｓ５０Ｃ（図３参照）が生成される。
【００３０】
より具体的には、遅延部５０は、識別対象信号Ｓ１３を有効シンボル長Ａだけ遅延させた遅延信号Ｓ５０Ａと、信号Ｓ１３を有効シンボル長Ｂだけ遅延させた遅延信号Ｓ５０Ｂと、信号Ｓ１３を有効シンボル長Ｃだけ遅延させた遅延信号Ｓ５０Ｃとを生成する。
【００３１】
図３に遅延部５０の構成例を示す。図３の例では、遅延部５０は直列接続された４つの遅延処理部５１〜５４を含んでおり、第１段目の遅延処理部５１に入力された信号Ｓ１３が遅延処理部５１〜５４において順次、累積的に遅延される。図３の例では、第１段目、第２段目および第４段目の遅延処理部５１，５２，５４の出力信号が、遅延信号Ｓ５０Ａ，Ｓ５０Ｂ，Ｓ５０Ｃにそれぞれ対応する。
【００３２】
この場合、遅延処理部５１の遅延時間が有効シンボル長Ａに設定され、遅延処理部５１，５２の遅延時間の合計が有効シンボル長Ｂに設定され、遅延処理部５１〜５４の遅延時間の合計が有効シンボル長Ｃに設定されている。
【００３３】
図４に遅延部５０の他の構成例を示す。図４の例では、遅延部５０は並列に設けられた３つの遅延処理部５５Ａ，５５Ｂ，５５Ｃを含んでおり、遅延部５５Ａ，５５Ｂ，５５Ｃのそれぞれに識別対象信号Ｓ１３が入力される。遅延処理部５５Ａ，５５Ｂ，５５Ｃの遅延時間は有効シンボル長Ａ，Ｂ，Ｃにそれぞれ設定されており、これにより遅延処理部５５Ａ，５５Ｂ，５５Ｃから遅延信号Ｓ５０Ａ，Ｓ５０Ｂ，Ｓ５０Ｃがそれぞれ出力される。
【００３４】
図３および図４の構成の場合、遅延信号５０Ａ，５０Ｂ，５０Ｃは並列的に、換言すれば同時に、遅延部５０から出力される。
【００３５】
相関算出部７０（図２参照）は、識別対象信号Ｓ１３および遅延信号Ｓ５０Ａ，Ｓ５０Ｂ，Ｓ５０Ｃを取得し、識別対象信号Ｓ１３と各遅延信号Ｓ５０Ａ，Ｓ５０Ｂ，Ｓ５０Ｃとの相関を算出し、算出結果を出力する。
【００３６】
図５に相関算出部７０の構成例を示す。図５に例示の相関算出部７０は、複素共役乗算部７１と、移動平均算出部７５とを含んでいる。
【００３７】
複素共役乗算部７１は、識別対象信号である複素ベースバンド信号Ｓ１３と、遅延信号Ｓ５０Ａ，Ｓ５０Ｂ，Ｓ５０Ｃとを取得し、識別対象信号Ｓ１３と各遅延信号Ｓ５０Ａ，Ｓ５０Ｂ，Ｓ５０Ｃとの複素共役乗算を行って出力する。
【００３８】
図５の例では、複素共役乗算部７１は、複素ベースバンド信号Ｓ１３と遅延信号Ｓ５０Ａとの複素共役乗算を行う複素共役乗算処理部７２Ａと、信号Ｓ１３，Ｓ５０Ｂの複素共役乗算を行う複素共役乗算処理部７２Ｂと、信号Ｓ１３，Ｓ５０Ｃの複素共役乗算を行う複素共役乗算処理部７２Ｃとを有している。複素共役乗算処理部７２Ａ，７２Ｂ，７２Ｃは、乗算結果Ｓ７１Ａ，Ｓ７１Ｂ，Ｓ７１Ｃをそれぞれ出力する。図５の構成の場合、複素共役乗算は並列的に行われ、その演算結果Ｓ７１Ａ，Ｓ７１Ｂ，Ｓ７１Ｃは複素共役乗算部７１から並列的に出力される。
【００３９】
なお、複素共役乗算は、複素ベースバンド信号Ｓ１３と、各遅延信号Ｓ５０Ａ，Ｓ５０Ｂ，Ｓ５０Ｃの共役複素数とを乗算してもよいし、逆に、複素ベースバンド信号Ｓ１３の共役複素数と、各遅延信号Ｓ５０Ａ，Ｓ５０Ｂ，Ｓ５０Ｃとを乗算してもよい。
【００４０】
移動平均算出部７５は、複素共役乗算結果信号Ｓ７１Ａ，Ｓ７１Ｂ，Ｓ７１Ｃを取得し、各信号Ｓ７１Ａ，Ｓ７１Ｂ，Ｓ７１Ｃの移動平均を算出し、算出結果を出力する。移動平均の算出対象期間、換言すれば算出用窓は、識別対象信号Ｓ１３に採用されている可能性のあるガードインターバル長と同じ時間長さに設定される。
【００４１】
ここで、一般に、ガードインターバルは、有効シンボルの後部のコピーから成り、当該有効シンボルの先頭に付加される。なお、有効シンボル長に対するコピー部分の長さの比率、すなわち有効シンボル長に対するガードインターバル長の比率は、ガードインターバル比と呼ばれる場合がある。ガードインターバル比は、予め規定されており、ここではｋ，ｌ，ｍ，ｎ（０＜ｋ，ｌ，ｍ，ｎ＜１）の４種類を例示する。
【００４２】
かかる例の場合、有効シンボル長Ａに対するガードインターバル長は、Ａ×ｋ，Ａ×ｌ，Ａ×ｍ，Ａ×ｎの４種類の値が候補となる。同様に、有効シンボル長Ｂに対してはＢ×ｋ，Ｂ×ｌ，Ｂ×ｍ，Ｂ×ｎがガードインターバル長の候補値となり、有効シンボル長Ｃに対してはＣ×ｋ，Ｃ×ｌ，Ｃ×ｍ，Ｃ×ｎがガードインターバル長の候補値となる。なお、時間長さＡ×ｋを有するガードインターバル長等に参照符号Ａｋを用いることにし、他についても同様に表記する。
【００４３】
したがって、移動平均算出部７５は、有効シンボル長Ａに関する複素共役乗算結果信号Ｓ７１Ａの移動平均を、Ａ×ｋ，Ａ×ｌ，Ａ×ｍ，Ａ×ｎの各時間長さをそれぞれ算出対象期間として算出し、算出結果７５Ａｋ，Ｓ７５Ａｌ，Ｓ７５Ａｍ，Ｓ７５Ａｎを出力する。なお、算出結果Ｓ７５Ａｋ，Ｓ７５Ａｌ，Ｓ７５Ａｍ，Ｓ７５Ａｎは算出対象期間Ａｋ，Ａｌ，Ａｍ，Ａｎにそれぞれ対応する。
【００４４】
なお、図５では、図面の煩雑化を避けるため、信号Ｓ７１Ａを期間Ａｋについて移動平均して算出結果信号Ｓ７５Ａｋを出力する移動平均算出処理部７６Ａｋだけを図示している。
【００４５】
同様にして、移動平均算出部７５は、有効シンボル長Ｂに関する複素共役乗算結果信号Ｓ７１Ｂに、算出対象期間Ｂｋ，Ｂｌ，Ｂｍ，Ｂｎをそれぞれ適用して移動平均を算出し、算出結果Ｓ７５Ｂｋ，Ｓ７５Ｂｌ，Ｓ７５Ｂｍ，Ｓ７５Ｂｎを出力する。また、移動平均算出部７５は、有効シンボル長Ｃに関する複素共役乗算結果信号Ｓ７１Ｃに、算出対象期間Ｃｋ，Ｃｌ，Ｃｍ，Ｃｎをそれぞれ適用して移動平均を算出し、算出結果Ｓ７５Ｃｋ，Ｓ７５Ｃｌ，Ｓ７５Ｃｍ，Ｓ７５Ｃｎを出力する。
【００４６】
このように、移動平均算出結果は、有効シンボル長の候補値の個数とガードインターバル比の候補値の個数との積算値と同数（換言すれば有効シンボル長の候補値とガードインターバル長の候補値との組み合わせの総数と同数であり、ここでは１２個）の系統（以下、候補系統とも称する）について生成される。
【００４７】
図５の例では、移動平均算出結果信号Ｓ７５Ａｋ，Ｓ７５Ａｌ，Ｓ７５Ａｍ，Ｓ７５Ａｎ，Ｓ７５Ｂｋ，Ｓ７５Ｂｌ，Ｓ７５Ｂｍ，Ｓ７５Ｂｎ，Ｓ７５Ｃｋ，Ｓ７５Ｃｌ，Ｓ７５Ｃｍ，Ｓ７５Ｃｎが、相関算出部７０からの出力信号である相関算出結果信号に相当する。図５の構成の場合、移動平均算出結果Ｓ７５Ａｋ，Ｓ７５Ａｌ，Ｓ７５Ａｍ，Ｓ７５Ａｎ，Ｓ７５Ｂｋ，Ｓ７５Ｂｌ，Ｓ７５Ｂｍ，Ｓ７５Ｂｎ，Ｓ７５Ｃｋ，Ｓ７５Ｃｌ，Ｓ７５Ｃｍ，Ｓ７５Ｃｎは、並列的に生成され、移動平均算出部７５から、すなわち相関算出部７０から並列的に出力される。
【００４８】
ピーク位置検出部９０（図２参照）は、相関算出結果信号Ｓ７５Ａｋ，Ｓ７５Ａｌ，Ｓ７５Ａｍ，Ｓ７５Ａｎ，Ｓ７５Ｂｋ，Ｓ７５Ｂｌ，Ｓ７５Ｂｍ，Ｓ７５Ｂｎ，Ｓ７５Ｃｋ，Ｓ７５Ｃｌ，Ｓ７５Ｃｍ，Ｓ７５Ｃｎを取得する。そして、ピーク位置検出部９０は、相関算出結果信号ごとに、換言すれば候補系統ごとに、当該信号中のピーク位置（信号レベルが局所的に大きくなる位置。ここでは信号レベルが最大になる位置とする）を検出し、検出結果Ｓ９０Ａｋ，Ｓ９０Ａｌ，Ｓ９０Ａｍ，Ｓ９０Ａｎ，Ｓ９０Ｂｋ，Ｓ９０Ｂｌ，Ｓ９０Ｂｍ，Ｓ９０Ｂｎ，Ｓ９０Ｃｋ，Ｓ９０Ｃｌ，Ｓ９０Ｃｍ，Ｓ９０Ｃｎ（図６参照）を出力する。
【００４９】
なお、相関算出結果信号とピーク位置検出結果信号について、参照符号の末尾２文字が同じ信号は互いに対応する。例えば、相関算出結果信号Ｓ７５Ａｋに基づいてピーク位置検出結果信号Ｓ９０Ａｋが得られる。参照符号のかかる表記法は後述の各種信号についても用いることにする。
【００５０】
図６にピーク位置検出部９０の構成例を示す。図６の例では、図面の煩雑化を避けるため、相関算出結果信号Ｓ７５Ａｋのピーク位置を検出して検出結果信号Ｓ９０Ａｋを出力するピーク位置検出処理部９１Ａｋだけを図示している。
【００５１】
ピーク位置の検出は、所定の時間長さに設定された観測期間を１単位として、繰り返し行われる。ここでは、観測期間の開始時刻を基準（原点）にした場合のピークの発現時刻、換言すれば観測期間の開始時刻からピークの発現時刻までの時間長さを、ピーク位置の値とする。
【００５２】
上記の観測期間の長さは、観測対象とする相関算出結果信号の生成に関与した有効シンボル長の候補値とガードインターバル長の候補値との合算値（以下、シンボル長の候補値とも称する）に設定される。例えば、相関算出結果信号Ｓ７５Ａｋは有効シンボル長Ａとガードインターバル長Ａｋとに基づいて生成されているため、当該信号Ｓ７５Ａｋに対するピーク位置観測期間の長さはＡ＋Ａｋに設定されている。ここでは、ピーク位置観測期間の長さは、候補系統と同数（ここでは１２）の種類がある。
【００５３】
図６の構成の場合、入力信号Ｓ７５Ａｋ，Ｓ７５Ａｌ，Ｓ７５Ａｍ，Ｓ７５Ａｎ，Ｓ７５Ｂｋ，Ｓ７５Ｂｌ，Ｓ７５Ｂｍ，Ｓ７５Ｂｎ，Ｓ７５Ｃｋ，Ｓ７５Ｃｌ，Ｓ７５Ｃｍ，Ｓ７５Ｃｎに対するピーク位置の検出は並列的に行われる。また、ピーク位置検出結果Ｓ９０Ａｋ，Ｓ９０Ａｌ，Ｓ９０Ａｍ，Ｓ９０Ａｎ，Ｓ９０Ｂｋ，Ｓ９０Ｂｌ，Ｓ９０Ｂｍ，Ｓ９０Ｂｎ，Ｓ９０Ｃｋ，Ｓ９０Ｃｌ，Ｓ９０Ｃｍ，Ｓ９０Ｃｎは、ピーク位置検出部９０から並列的に出力される。
【００５４】
ピーク位置評価部１１０（図２参照）は、ピーク位置検出結果信号Ｓ９０Ａｋ，Ｓ９０Ａｌ，Ｓ９０Ａｍ，Ｓ９０Ａｎ，Ｓ９０Ｂｋ，Ｓ９０Ｂｌ，Ｓ９０Ｂｍ，Ｓ９０Ｂｎ，Ｓ９０Ｃｋ，Ｓ９０Ｃｌ，Ｓ９０Ｃｍ，Ｓ９０Ｃｎを取得する。そして、ピーク位置評価部１１０は、ピーク位置の同一性を評価し、評価結果を出力する。
【００５５】
図７にピーク位置評価部１１０の構成例を示す。図７に例示のピーク位置評価部１１０は、ピーク位置差分算出部１１１と、絶対値加算部１１６とを含んでいる。
【００５６】
ピーク位置差分算出部１１１は、複数のピーク位置について差分を算出し、得られた差分値を出力する。図７では、図面の煩雑化を避けるため、ピーク位置検出結果Ｓ９０Ａｋについてピーク位置差分を算出し、算出結果（換言すれば差分値）Ｓ１１１Ａｋを出力するピーク位置差分算出処理部１１２Ａｋだけを図示している。
【００５７】
図８に、ピーク位置差分算出処理部１１２Ａｋの構成例を示す。図８の例では、ピーク位置検出結果Ｓ９０Ａｋは、減算部１１３へ直接入力されるとともに、ラッチ部１１４を介して当該減算部１１３へ入力される。
【００５８】
ラッチ部１１４は、ピーク位置検出結果Ｓ９０Ａｋが入力され、当該ピーク位置検出結果Ｓ９０Ａｋを次回の入力（ピーク位置検出結果Ｓ９０Ａｋ）があるまで保持する。そして、ラッチ部１１４は、当該保持の終了に伴って、保持していたピーク位置検出結果Ｓ９０Ａｋを出力する。
【００５９】
減算部１１３には、ラッチ部１１４へ入力されるピーク位置検出結果Ｓ９０Ａｋと、ラッチ部１１４から出力されるピーク位置検出結果Ｓ９０Ａｋ（すなわち前回の入力であるピーク位置検出結果Ｓ９０Ａｋ）とが入力される。そして、減算部１１３は、上記２つの入力についての差分、すなわちピーク位置差分を算出して出力する。この場合、減算部１１３は、連続するピーク位置検出結果Ｓ９０Ａｋについてピーク位置差分を算出することになる。
【００６０】
同様にして、ピーク位置差分算出部１１１は、ピーク位置検出結果Ｓ９０Ａｌ，Ｓ９０Ａｍ，Ｓ９０Ａｎ，Ｓ９０Ｂｋ，Ｓ９０Ｂｌ，Ｓ９０Ｂｍ，Ｓ９０Ｂｎ，Ｓ９０Ｃｋ，Ｓ９０Ｃｌ，Ｓ９０Ｃｍ，Ｓ９０Ｃｎごとに、換言すれば候補系統ごとに、ピーク位置差分を算出し、算出結果（すなわち差分値）Ｓ１１１Ａｌ，Ｓ１１１Ａｍ，Ｓ１１１Ａｎ，Ｓ１１１Ｂｋ，Ｓ１１１Ｂｌ，Ｓ１１１Ｂｍ，Ｓ１１１Ｂｎ，Ｓ１１１Ｃｋ，Ｓ１１１Ｃｌ，Ｓ１１１Ｃｍ，Ｓ１１１Ｃｎを出力する。
【００６１】
絶対値加算部１１６は、ピーク位置差分算出結果Ｓ１１１Ａｋ，Ｓ１１１Ａｌ，Ｓ１１１Ａｍ，Ｓ１１１Ａｎ，Ｓ１１１Ｂｋ，Ｓ１１１Ｂｌ，Ｓ１１１Ｂｍ，Ｓ１１１Ｂｎ，Ｓ１１１Ｃｋ，Ｓ１１１Ｃｌ，Ｓ１１１Ｃｍ，Ｓ１１１Ｃｎを取得し、当該ピーク位置差分算出結果ごとに、換言すれば候補系統ごとに、差分値の絶対値を取った値を累積加算する。そして、絶対値加算部１１６は、得られた累積加算結果（すなわち累積加算値）を出力する。
【００６２】
図７では、図面の煩雑化を避けるため、ピーク位置差分算出結果信号Ｓ１１１Ａｋについて上記の絶対値加算を行い、算出結果（すなわち絶対値加算値）Ｓ１１５Ａｋを出力する絶対値加算処理部１１７Ａｋだけを図示している。
【００６３】
図９に絶対値加算処理部１１７Ａｋの構成例を示す。図９の例では、ピーク位置検出結果Ｓ９０Ａｋは、入力信号の絶対値をとる絶対値演算部１１８を介して、加算部１１９へ入力される。加算部１１９の出力は、ラッチ部１２０を介して、当該加算部１１９に入力される。
【００６４】
ラッチ部１２０は、加算部１１９による加算結果が入力され、当該加算結果を加算部１１９に次回の入力があるまで保持する。そして、ラッチ部１２０は、当該保持の終了に伴って、保持していた加算結果を加算部１１９へ出力する。これにより、加算部１１９は、絶対値演算部１１８から出力される新たなピーク位置差分の絶対値と、ラッチ部１２０から出力される前回までの累積加算結果とを加算する。つまり、順次得られるピーク位置差分の絶対値が累積加算される。
【００６５】
同様にして、絶対値加算部１１６は、ピーク位置差分算出結果Ｓ１１１Ａｌ，Ｓ１１１Ａｍ，Ｓ１１１Ａｎ，Ｓ１１１Ｂｋ，Ｓ１１１Ｂｌ，Ｓ１１１Ｂｍ，Ｓ１１１Ｂｎ，Ｓ１１１Ｃｋ，Ｓ１１１Ｃｌ，Ｓ１１１Ｃｍ，Ｓ１１１Ｃｎごとに、換言すれば候補系統ごとにピーク位置差分の絶対値を累積加算し、算出結果Ｓ１１５Ａｌ，Ｓ１１５Ａｍ，Ｓ１１５Ａｎ，Ｓ１１５Ｂｋ，Ｓ１１５Ｂｌ，Ｓ１１５Ｂｍ，Ｓ１１５Ｂｎ，Ｓ１１５Ｃｋ，Ｓ１１５Ｃｌ，Ｓ１１５Ｃｍ，Ｓ１１５Ｃｎを出力する。
【００６６】
図７の例では、絶対値加算の結果信号Ｓ１１５Ａｋ，Ｓ１１５Ａｌ，Ｓ１１５Ａｍ，Ｓ１１５Ａｎ，Ｓ１１５Ｂｋ，Ｓ１１５Ｂｌ，Ｓ１１５Ｂｍ，Ｓ１１５Ｂｎ，Ｓ１１５Ｃｋ，Ｓ１１５Ｃｌ，Ｓ１１５Ｃｍ，Ｓ１１５Ｃｎは、ピーク位置評価部１１０からの出力信号であるピーク位置評価結果信号に相当する。
【００６７】
図７の構成の場合、入力信号Ｓ９０Ａｋ，Ｓ９０Ａｌ，Ｓ９０Ａｍ，Ｓ９０Ａｎ，Ｓ９０Ｂｋ，Ｓ９０Ｂｌ，Ｓ９０Ｂｍ，Ｓ９０Ｂｎ，Ｓ９０Ｃｋ，Ｓ９０Ｃｌ，Ｓ９０Ｃｍ，Ｓ９０Ｃｎに対するピーク位置差分算出が並列的に行われる。絶対値加算についても同様である。また、評価結果信号Ｓ１１５Ａｋ，Ｓ１１５Ａｌ，Ｓ１１５Ａｍ，Ｓ１１５Ａｎ，Ｓ１１５Ｂｋ，Ｓ１１５Ｂｌ，Ｓ１１５Ｂｍ，Ｓ１１５Ｂｎ，Ｓ１１５Ｃｋ，Ｓ１１５Ｃｌ，Ｓ１１５Ｃｍ，Ｓ１１５Ｃｎは、絶対値加算部１１６から、換言すればピーク位置評価部１１０から、並列的に出力される。
【００６８】
ここで、図７の構成によれば、ピーク位置差分の絶対値が小さいほど、各観測期間において同じ位置にピークが発現する頻度が高い、すなわちピーク位置の同一性が高いと評価することが可能である。ピーク位置差分の絶対値を累積加算しても、この傾向は同様である。また、ピーク位置差分の絶対値を累積加算することにより、毎回のピーク位置差分の絶対値だけを用いるよりも、確度の高い、すなわち信頼性の高い評価を行うことができる。
【００６９】
なお、例えば予め設定された所定時間の経過により、絶対値加算部１１６のラッチ部１２０をリセットして累積加算値をゼロに戻すように構成してもよい。
【００７０】
識別部１３０（図２参照）は、候補系統ごとの、換言すれば複数種類のピーク位置評価結果Ｓ１１５Ａｋ，Ｓ１１５Ａｌ，Ｓ１１５Ａｍ，Ｓ１１５Ａｎ，Ｓ１１５Ｂｋ，Ｓ１１５Ｂｌ，Ｓ１１５Ｂｍ，Ｓ１１５Ｂｎ，Ｓ１１５Ｃｋ，Ｓ１１５Ｃｌ，Ｓ１１５Ｃｍ，Ｓ１１５Ｃｎを取得し、これらの評価結果に基づいて、シンボル識別部１７へ入力された複素ベースバンド信号Ｓ１３の有効シンボル長およびガードインターバル長を識別する、換言すれば同定する。そして、識別部１３０は、識別結果の信号Ｓ１７を出力する。
【００７１】
図１０に識別部１３０の構成例を示す。図１０に例示の識別部１３０は、最小値判定部１３１を含んでいる。
【００７２】
最小値判定部１３１は、ピーク位置評価結果Ｓ１１５Ａｋ，Ｓ１１５Ａｌ，Ｓ１１５Ａｍ，Ｓ１１５Ａｎ，Ｓ１１５Ｂｋ，Ｓ１１５Ｂｌ，Ｓ１１５Ｂｍ，Ｓ１１５Ｂｎ，Ｓ１１５Ｃｋ，Ｓ１１５Ｃｌ，Ｓ１１５Ｃｍ，Ｓ１１５Ｃｎを取得し、これらの評価結果のうちで最良の評価結果を判定・選出する。ここで、ピーク位置評価結果が良好、さらには最良であるとは、ピーク位置差分の絶対値の累積加算値が相対的に小さい、さらには最小であることによって、判定可能である。
【００７３】
そして、最小値判定部１３１は、選出された評価結果の生成に関与した有効シンボル長およびガードインターバル長の候補値を、シンボル識別部１７へ入力された複素ベースバンド信号Ｓ１３の有効シンボル長およびガードインターバル長として認定する。
【００７４】
最小値判定部１３１は、認定した有効シンボル長およびガードインターバル長の情報Ｓ１３１を出力する。
【００７５】
図１０の例では、かかる認定結果信号Ｓ１３１が、識別部１３０からの出力信号である識別結果信号Ｓ１７に相当する。また、図２の例では、かかる識別結果信号Ｓ１７が、シンボル識別部１７からの出力信号に相当する。
【００７６】
ここで、有効シンボル長およびガードインターバル長の候補値は、シンボル識別部１７内の遅延部５０等が利用可能な態様で以て、シンボル識別部１７内または受信装置１０内に予め与えられている。なお、ガードインターバル長の候補値に代えてまたは加えて、ガードインターバル比の候補値を予め与えてもよい。
【００７７】
例えば、上記候補値を不図示の記憶部（以下、候補値記憶部と称する）に予め格納することにより、遅延部５０等は候補値記憶部から所定の候補値を取得することが可能である。
【００７８】
あるいは、例えば、上記候補値を表す信号を生成するハードウェア回路によって、上記候補値を遅延部５０等に供給するようにしてもよい。
【００７９】
あるいは、例えば、遅延部５０等がソフトウェアを利用して自身の処理の一部または全部を行う場合、実行するプログラム中に上記候補値を予め記述するようにしてもよい。
【００８０】
また、上記のいずれの態様においても、製造者、オペレータ、ユーザ等が例えば操作パネル、キーボード等の不図示の入力部を介して上記候補値を編集可能であることは好ましい。例えば、シンボル識別部１７の適用範囲を柔軟に変更することができるからである。なお、編集には変更、追加、削除のうちの少なくとも１つが含まれる。
【００８１】
なお、シンボル識別部１７の外部に設けられている有効シンボル抽出部１４等も、上記の各種態様を採用することにより、上記候補値を利用可能である。
【００８２】
ここで、上記構成例によるシンボル識別部１７の処理を概説する。
【００８３】
上記のように、ガードインターバルは、有効シンボルの後部のコピーが当該有効シンボルの先頭に付加されることにより形成される。このため、かかる構成を有するＯＦＤＭシンボルと、当該シンボルの実際の有効シンボル長だけ遅延させた遅延シンボルとの相関を相関算出部７０によって算出すると、ＯＦＤＭシンボルの上記後部と遅延シンボルのガードインターバル部分とが強く相関する。
【００８４】
しかも、かかる強い相関、換言すれば相関のピークは、識別対象のＯＦＤＭシンボルのシンボル長と同じ時間長さの周期で観測される。このため、ピーク位置検出部９０において、上記ＯＦＤＭシンボルの実際のシンボル長と同じ長さを有するピーク位置観測期間を用いて、ピーク位置を検出することにより、各観測期間において同じ位置にピークが観測される。
【００８５】
これに対し、識別対象とするＯＦＤＭシンボルの実際の有効シンボル長およびガードインターバル長とは異なる候補値を用いた場合、上述のピーク位置の同一性は低く、あるいは当該同一性が見られない。
【００８６】
したがって、ピーク位置の同一性を評価することによって、ＯＦＤＭシンボルの有効シンボル長およびガードインターバル長を同定することができる。
【００８７】
ＯＦＤＭ受信装置１０によれば、次のような効果が得られる。
【００８８】
シンボル識別部１７は、上記のように、ピーク位置差分を利用して、入力ＯＦＤＭ信号の有効シンボル長およびガードインターバル長を識別する。すなわち、第１の従来例とは異なり、ＯＦＤＭシンボルの識別に相関信号のピークの大きさを利用しない。このため、識別対象とするＯＦＤＭ信号の信号レベルが大きく変動した場合であっても、シンボル識別の精度が低下することがない。したがって、良好な識別精度を得ることができる。
【００８９】
さらに、シンボル識別部１７によれば、第２の従来例とは異なり、ピーク位置の分散値を利用せずに、ＯＦＤＭシンボルを識別可能である。このため、第２の従来例に比べて、回路規模が小さくて済み、低コスト化、装置の小型化等を図ることができる。
【００９０】
また、上記の例によるシンボル識別部１７ではピーク位置の同一性評価に、ピーク位置差分の絶対値を累積加算して利用する。このため、図８および図９の構成例のように簡易な回路構成を採用可能である。したがって、回路規模の抑制により、低コスト化、装置の小型化等を図ることができる。
【００９１】
また、シンボル識別部１７によれば、有効シンボル長およびガードインターバル長の候補値の組み合わせの全てを並列的に処理する。したがって、候補値の組み合わせを順次に、換言すれば直列的に処理する構成に比べて、高速な処理を行うことができる。
【００９２】
実施の形態１の変形例１．
図１１に、識別部１３０について、本変形例１に係る構成例を示す。図１１に例示の識別部１３０は、図１０に例示した構成に、比較部１３３を追加した構成を有している。比較部１３３は、最小値判定部１３１が選出した最良の評価結果Ｓ１３２（ここではピーク位置差分の絶対値の累積加算値の最小値を例示する）を取得する。そして、比較部１３３は、当該最小値Ｓ１３２と所定の閾値ＴＨとを比較して、比較結果Ｓ１３３を出力する。
【００９３】
例えば、比較部１３３は、上記最小値Ｓ１３２が閾値ＴＨよりも大きいと判断した場合、認定した有効シンボル長およびガードインターバル長は識別精度が不十分である旨の情報を信号Ｓ１３３によって出力する。
【００９４】
これに対し、例えば、比較部１３３は、上記最小値Ｓ１３２が閾値ＴＨ以下であると判断した場合、十分な識別精度で以て有効シンボル長およびガードインターバル長は認定されている旨の情報を信号Ｓ１３３によって出力する。
【００９５】
比較結果１３３は、例えば、有効シンボル抽出部１４、ＦＦＴ部１５、Ｐ／Ｓ変換部１６等によって利用される。
【００９６】
このように、選出された最良のピーク位置評価結果が所定の基準を満足しない場合に、同定した有効シンボル長および前記ガードインターバル長は識別不十分であると判断することにより、有効シンボル抽出部１４等は自身の処理で利用する有効シンボル長およびガードインターバル長の値の確度、換言すれば信頼性を知ることができる。
【００９７】
このため、例えば、認定された有効シンボル長およびガードインターバル長の確度が低い場合、有効シンボル抽出部１４等は、所望のＯＦＤＭ信号が受信されていないと判断して、自身の処理を実行しないようにする（例えば待機モードにする）ことが可能である。これによれば、例えば消費電力の低減を図ることができる。
【００９８】
なお、比較部１３３は、最良の評価結果Ｓ１３２として、例えば、認定された有効シンボル長およびガードインターバル長を利用してもよい。すなわち、認定された有効シンボル長およびガードインターバル長と、これらのために準備された所定の閾値ＴＨとを比較するように、比較部１３３を構成してもよい。
【００９９】
実施の形態１の変形例２．
図１２に、絶対値加算処理部１１７Ａｋ（図７参照）について、本変形例２に係る構成例を示す。
【０１００】
図１２に例示の絶対値加算処理部１１７Ａｋは、図９で例示した構成に、減算部１２１と、比較部１２２と、選択部１２３とを追加した構成を有している。より具体的には、ピーク位置差分算出結果Ｓ１１１Ａｋは、絶対値演算部１１８を経た後、減算部１２１と、比較部１２２と、選択部１２３とに入力される。
【０１０１】
減算部１２１は、絶対値演算部１１８から出力されたピーク位置差分Ｓ１１１Ａｋの絶対値を、ピーク位置差分Ｓ１１１Ａｋの生成に関与しているシンボル長の候補値（換言すれば、ピーク位置差分Ｓ１１１Ａｋの生成に関与しているピーク位置観測期間の長さ）から減算する。減算結果（以下、参考値とも称する）は比較部１２２と選択部１２３へ出力される。
【０１０２】
比較部１２２は、ピーク位置差分の絶対値と、上記参考値とを比較し、比較結果を選択部１２３へ出力する。
【０１０３】
選択部１２３は、比較結果部１２２による比較結果に基づいて、ピーク位置差分の絶対値と、上記参考値とのうちで小さい方の値を選択する。
【０１０４】
選択部１２３が選択した小さい方の値は、加算部１１９へ入力される。加算部１１９の出力Ｓ１１５Ａｋは、図９の構成例と同様に、ラッチ部１２０を介して、当該加算部１１９に入力される。したがって、図１２の構成の場合、ピーク位置差分の絶対値が上記参考値に比べて大きい場合、ピーク位置差分の絶対値に代えて上記参考値を用いて累積加算が行われる。
【０１０５】
なお、信号Ｓ１１１Ａｋ以外のピーク位置差分算出結果信号Ｓ１１１Ａｌ等に対しても、図１２の例と同様の絶対値加算処理部を適用可能である。
【０１０６】
図１２の構成によれば、ピーク位置が観測期間の境界付近に発現する場合であっても、ピーク位置の同一性を正確に評価することができる。この点について図１３の模式図を参照して説明する。
【０１０７】
図１３の例では相関信号が、連続する観測期間Ｔ１，Ｔ２（期間の長さはいずれもＴとする）の境界をまたいで局所的に大きくなっている。この例の場合、先の観測期間Ｔ１では、当該期間Ｔ１の終点付近にピーク位置Ｐ１が検出され、このピーク位置Ｐ１の値Ｑ１は観測期間Ｔ１の値（すなわちシンボル長の候補値）に近い値を取る。これに対し、後の観測期間Ｔ２では、当該期間Ｔ２の始点にピーク位置Ｐ２が検出され、このピーク位置Ｐ２の値Ｑ２は０（ゼロ）である。なお、説明を分かりやすくするために、図１３ではピーク位置Ｐ２を観測期間Ｔ２の始点からずらして図示している。
【０１０８】
したがって、図１３の例の場合、ピーク位置差分値Ｑ１−Ｑ２の絶対値はシンボル長の候補値に近い、大きな値となる。
【０１０９】
しかし、ピーク位置Ｐ１，Ｐ２は本来的に同一性が高いため、ピーク位置Ｐ１，Ｐ２の差分値は小さい値となるべきである。例えば、ピーク位置Ｐ１からピーク位置Ｐ２までの距離（具体的には時間長さ）δが、ピーク位置Ｐ１，Ｐ２の差分値として取得されるのが好ましい。ピーク位置Ｐ１，Ｐ２間の距離δは、図１３の図解からも分かるように｛（シンボル長の候補値Ｔ）−（ピーク位置差分Ｑ１−Ｑ２の絶対値）｝によって算出される。すなわち、当該距離δは、減算部１２１（図１２参照）の出力である上記の参考値である。
【０１１０】
なお、上記例示とは逆に、観測期間Ｔ１，Ｔ２をまたいでいる波形のピークが観測期間Ｔ２内に在る場合についても、上記と同様の説明が当てはまる。
【０１１１】
このように、上記参考値とピーク位置差分の絶対値とのうちで小さい方の値を用いることにより、ピーク位置の同一性を正確に評価することができる。
【０１１２】
図１２の構成によれば、ピーク位置検出部９０の観測期間に対してずれた観測期間によってピーク位置の検出を行う別個のピーク位置検出部を設ける必要がない。したがって、簡易な回路構成によって、低コスト化、装置の小型化等を図ることができる。
【０１１３】
実施の形態１の変形例３．
本変形例３では、ピーク位置評価部１１０の他の構成例を説明する。図１４および図１５に、ピーク位置差分算出処理部１１２Ａｋ（図７参照）および絶対値加算処理部１１７Ａｋ（図７参照）について、本変形例３に係る構成例を示す。
【０１１４】
図１４に例示のピーク位置差分算出処理部１１２Ａｋは、図８に例示したピーク位置差分算出処理部１１２Ａｋに、減算部１２４とラッチ部１２５とを追加した構成を有している。
【０１１５】
減算部１２４は、ピーク位置検出結果Ｓ９０Ａｋが直接入力されるとともに、上記のラッチ部１１４の出力がラッチ部１２５を介して入力される、すなわちピーク位置検出結果Ｓ９０Ａｋが２つのラッチ部１１４，１２５を介して入力される。
【０１１６】
この場合、２つのラッチ部１１４，１２５から成る構成は、ピーク位置検出結果Ｓ９０Ａｋが入力され、当該ピーク位置検出結果Ｓ９０Ａｋを次々回の入力（ピーク位置検出結果Ｓ９０Ａｋ）があるまで保持する手段に相当する。そして、当該構成は、当該保持の終了に伴って、保持していたピーク位置検出結果Ｓ９０Ａｋを出力する。
【０１１７】
減算部１２４には、ラッチ部１１４，１２５から成る保持手段へ入力されるピーク位置検出結果Ｓ９０Ａｋと、当該保持手段から出力されるピーク位置検出結果Ｓ９０Ａｋ（すなわち前々回の入力であるピーク位置検出結果Ｓ９０Ａｋ）とが入力される。そして、減算部１２４は、上記２つの入力についての差分、すなわちピーク位置差分を算出して出力する。この場合、減算部１２４は、一つおきのピーク位置検出結果Ｓ９０Ａｋについてピーク位置差分を算出することになる。
【０１１８】
したがって、図１４に例示のピーク位置差分算出処理部１１２Ａｋは、今回と前回のピーク位置検出結果について算出された差分値Ｓ１１１Ａｋ１と、今回と前々回のピーク位置検出結果について算出された差分値Ｓ１１１Ａｋ２とを出力する。なお、この２種類のピーク位置差分算出結果Ｓ１１１Ａｋ１，Ｓ１１１Ａｋ２の総称が、実施の形態１で説明したピーク位置差分算出結果信号Ｓ１１１Ａｋに相当する。
【０１１９】
図１５に例示の絶対値加算処理部１１７Ａｋは、図１４のピーク位置差分算出処理部１１２Ａｋに対して採用可能な構成を有している。具体的には、図１５の構成は、図９の構成と比較すれば分かるように、上記の２種類のピーク位置差分算出結果Ｓ１１１Ａｋ１，Ｓ１１１Ａｋ２のそれぞれに対して、絶対値演算部１１８が設けられている。この２つの絶対値演算部１１８の出力は、加算部１２６で加算されて、既述の加算部１１９に入力される。なお、既述の加算部１１９およびラッチ部１２０が、図１５の構成においても、図９の構成と同様の態様で設けられている。
【０１２０】
なお、信号Ｓ９０Ａｋ以外のピーク位置検出結果信号Ｓ９０ｌ等に対しても、図１４と同様の構成を有するピーク位置差分算出処理部を適用可能である。また、信号Ｓ１１１Ａｋ１，Ｓ１１１Ａｋ２以外のピーク位置差分算出結果信号に対しても、図１５と同様の構成を有する絶対値加算処理部を適用可能である。
【０１２１】
ところで、ピーク位置検出結果Ａ９０Ａｋの生成に関与しているシンボル長の候補値が実際のシンボル長とは異なる場合、ピーク位置の同一性は低い。このため、図１４および図１５の構成のように今回と前々回に得られたピーク位置検出結果Ａ９０Ａｋを利用することにより、ピーク位置差分、さらにはその絶対値を大きくすることができる。
【０１２２】
これに対し、シンボル長の候補値が実際のシンボル長と同じである場合は、ピーク位置の同一性が高いので、今回と前々回のピーク位置検出結果Ａ９０Ａｋを利用しても、ピーク位置差分およびその絶対値への影響は小さい。
【０１２３】
したがって、図１４および図１５の構成によれば、シンボル識別の精度を向上させることができる。特にガードインターバル長が相対的に小さい場合に有用である。
【０１２４】
かかる点に鑑みれば、今回と前回のピーク位置の差分を利用せずに、今回と前々回のピーク位置の差分だけを利用する構成も採用可能である。
【０１２５】
これに対し、図１４および図１５の構成のように上記２種類のピーク位置差分を累積加算の対象とすることにより、シンボル識別の精度をさらに向上させることができる。また、上記２種類のいずれかのみを利用する構成に比べて、少ないデータで以てシンボルの識別をすることが可能になる。このため、シンボル識別にかかる時間を短縮することができる。
【０１２６】
ここで、図１４の構成に比べて、図８の構成の方が、回路構成が簡易であるため、低コスト化、装置の小型化等を図ることができる。
【０１２７】
なお、図１４の構成と図８の構成とのいずれを採用するかについては、例えば識別精度の要請、低コスト化の要請等を比較考量することによって決めればよい。
【０１２８】
ここで、図１４のピーク位置差分算出処理部１１２Ａｋに対して、図１６に例示する絶対値加算処理部１１７Ａｋを適用することも可能である。図１６に例示の構成では、図１２の構成中の絶対値演算部１１８と、減算部１２１と、比較部１２２と、選択部１２３とで構成される部分が、上記の２種類のピーク位置差分算出結果Ｓ１１１Ａｋ１，Ｓ１１１Ａｋ２のそれぞれに対して設けられている。２つの選択部１２３の出力は、加算部１２６で加算されて、加算部１１９へ入力される。なお、既述の加算部１１９およびラッチ部１２０が、図１６の構成においても、図１２の構成と同様の態様で設けられている。
【０１２９】
なお、信号Ｓ１１１Ａｋ１，Ｓ１１１Ａｋ２以外のピーク位置差分算出結果信号に対しても、図１６と同様の構成を有する絶対値加算処理部を適用可能である。
【０１３０】
図１６の構成によれば、図１４の構成による効果と、図１２の構成による効果との両方が得られる。
【０１３１】
実施の形態２．
図１７に、実施の形態２に係るＯＦＤＭシンボル識別部２１７を例示するブロック図を示す。当該シンボル識別部２１７は、シンボル識別部１７（図１参照）の代わりに、受信装置１０（図１参照）に適用可能である。
【０１３２】
例示のシンボル識別部２１７は、遅延部２５０と、相関算出部２７０と、ピーク位置検出部２９０と、ピーク位置評価部３１０と、識別部３３０とを含んでいる。これらの要素２５０，２７０，２９０，３１０，３３０は、基本的には、実施の形態１に係る上記要素５０，７０，９０，１１０，１３０と同様の機能をそれぞれ有している。
【０１３３】
図１８に、遅延部２５０を例示するブロック図を示す。例示の遅延部２５０は、図３に例示した構成に、選択部２５１を追加した構成を有している。
【０１３４】
選択部２５１は、遅延信号Ｓ５０Ａ，Ｓ５０Ｂ，Ｓ５０Ｃを取得し、これらの遅延信号Ｓ５０Ａ，Ｓ５０Ｂ，Ｓ５０Ｃのうちの１つを選択的に出力する。遅延信号Ｓ５０Ａ，Ｓ５０Ｂ，Ｓ５０Ｃのうちのいずれを選択するのかは、選択部２５１へ入力される選択制御信号Ｓ２５１によって制御される。これにより、例えば所定の周期で循環的に、遅延信号Ｓ５０Ａ，Ｓ５０Ｂ，Ｓ５０Ｃが選択される。図１８の構成では、選択部２５１から出力される遅延信号が、遅延部２５０の出力信号Ｓ２５０に相当する。
【０１３５】
なお、例えば図４に例示した遅延部５０と選択部２５１とを組み合わせて、遅延部２５０を構成することも可能である。
【０１３６】
相関算出部２７０は、実施の形態１に係る相関算出部７０を利用して構成可能である。ピーク位置検出部２９０およびピーク位置評価部３１０についても同様である。
【０１３７】
特に遅延信号Ｓ５０Ａ，Ｓ５０Ｂ，Ｓ５０Ｃは上記のように順次に、換言すれば直列的に出力されるので、相関算出部２７０、ピーク位置検出部２９０およびピーク位置評価部３１０は、実施の形態１に係る相関算出部７０、ピーク位置検出部９０およびピーク位置評価部１１０に比べて簡易な構成で済む。
【０１３８】
例えば、相関算出部２７０において、複素共役乗算部は複素共役乗算処理部７２Ａ（図５参照）に相当する１つの要素で構成可能であり、また、移動平均算出部は移動平均算出処理部７６Ａｋ（図５参照）に相当する１つの要素で構成可能である。
【０１３９】
同様に、ピーク位置検出部２９０は、例えば、ピーク位置検出処理部９１Ａｋ（図６参照）に相当する１つの要素で構成可能である。また、ピーク位置評価部３１０では、例えば、ピーク位置差分算出部はピーク位置差分算出処理部１１２Ａｋ（図７参照）に相当する１つの要素で構成可能であり、また、絶対値加算部は絶対値加算処理部１１７Ａｋ（図７参照）に相当する１つの要素で構成可能である。
【０１４０】
但し、遅延部２５０からは遅延信号Ｓ５０Ａ，Ｓ５０Ｂ，Ｓ５０Ｃが切り替わり出力されるので、相関算出部２７０は遅延部２５０から出力される遅延信号の種類に応じて動作する。
【０１４１】
例えば、遅延部２５０から遅延信号Ｓ５０Ａが出力されている場合、相関算出部２７０は、４種類の移動平均算出期間Ａｋ，Ａｌ，Ａｍ，Ａｎを順次切り替えて複素共役乗算結果Ｓ７１Ａ（図５参照）の移動平均を算出する。他の遅延信号Ｓ５０Ｂ，Ｓ５０Ｃについても同様である。つまり、相関算出部２７０は、遅延部２５０からの出力信号の生成に関与した有効シンボル長の候補値と、それに関連するガードインターバル長の候補値との全ての組み合わせについて、直列的に、相関算出結果を生成し出力する。
【０１４２】
また、ピーク位置検出部２９０およびピーク位置評価部３１０も同様である。例えばピーク位置観測期間やラッチ部１１４等のデータ保持期間は、処理対象の信号に関与しているシンボル長の候補値に応じて設定される。
【０１４３】
上記各部２５０，２７０，２９０，３１０は、例えば、候補値切り替え制御部（図示略）から送られてくる候補値切り替え制御信号に基づいて、自身の処理に適用する有効シンボル長およびガードインターバル長の候補値を切り替えるように構成可能である。上記の選択制御信号Ｓ２５１（図１８参照）は、候補値切り替え制御信号の一例である。候補値切り替え制御部は、例えばタイマを利用して所定周期ごとに候補値制御信号を出力するように構成可能である。
【０１４４】
図１９に、識別部３３０を例示するブロック図を示す。例示の識別部３３０は、図１１に例示した構成に、記憶部３３１を追加した構成を有している。
【０１４５】
記憶部３３１は、ピーク位置評価部３１０から直列的に出力される評価結果を順次、記憶する。例えば、ピーク位置評価結果は、当該評価結果に関与した有効シンボル長およびガードインターバル長の候補値と関連付けて記憶される。かかる関連付けは、例えば上記の候補値切り替え制御信号を利用して記憶部３３１または前段のピーク位置評価部３１０が行うことが可能である。記憶部３３１に記憶された情報は最小値判定部１３１による処理に利用される。
【０１４６】
最小値判定部１３１は、記憶部３３１に格納されているピーク位置評価結果のうちで最良の結果を判定し選出する。そして、最小値判定部１３１は、選出した信号に関与している有効シンボル長およびガードインターバル長の候補値を、シンボル識別部１７へ入力された複素ベースバンド信号Ｓ１３の有効シンボル長およびガードインターバル長として認定する。
【０１４７】
なお、図１９の構成から比較部１３３を取り除いて識別部３３０を構成することも可能である。
【０１４８】
ＯＦＤＭシンボル識別部２１７によれば、有効シンボル長の候補値とガードインターバル長の候補値との全ての組み合わせについて、直列的に処理が行われる。このため、上記のように、実施の形態１に係るシンボル識別部１７に比べて、構成回路を少なくすることができる。したがって、回路規模の削減により、低コスト化、装置の小型化等を図ることができる。
【０１４９】
なお、直列処理型のシンボル識別部２１７よりも、並列処理型のシンボル識別部１７の方が、高速処理に好適である。このため、例えば高速処理の要請、低コスト化の要請等を比較考量することによって、シンボル識別部１７，２１７のいずれかを採用するかを決めればよい。
【０１５０】
実施の形態１，２に共通の変形例．
ＯＦＤＭシンボル識別部１７，２１７の構成を利用してＯＦＤＭシンボル識別装置を構成することも可能である。かかるＯＦＤＭシンボル識別装置は、例えば、当該装置単独で、あるいは、別個のＯＦＤＭ受信装置と組み合わせて利用することが可能である。
【０１５１】
また、上記例示のＯＦＤＭシンボル識別部１７，２１７にアナログ処理部１１と、Ａ／Ｄ変換部１２と、直交復調部１３とを含めた構成によれば、アナログのＯＦＤＭ信号を入力信号とする場合に適用可能なＯＦＤＭシンボル識別部またはＯＦＤＭシンボル識別装置を構成可能である。
【符号の説明】
【０１５２】
１０  ＯＦＤＭ受信装置、１７，２１７  ＯＦＤＭシンボル識別部（ＯＦＤＭシンボル識別装置）、５０，２５０  遅延部、７０，２７０  相関算出部、９０，２９０  ピーク位置検出部、１１０，３１０  ピーク位置評価部、１１３，１２４  減算部（減算手段）、１１４，１２５  ラッチ部（保持手段）、１３０，３３０  識別部、Ａ，Ｂ，Ｃ  有効シンボル長の候補値、Ａｋ，Ａｌ，Ａｍ，Ａｎ，Ｂｋ，Ｂｌ，Ｂｍ，Ｂｎ，Ｃｋ，Ｃｌ，Ｃｍ，Ｃｎ  ガードインターバル長の候補値、Ｓ１３  ＯＦＤＭ信号、Ｓ５０Ａ，Ｓ５０Ｂ，Ｓ５０Ｃ  遅延信号、Ｓ７５Ａｋ，Ｓ７５Ａｌ，Ｓ７５Ａｍ，Ｓ７５Ａｎ，Ｓ７５Ｂｋ，Ｓ７５Ｂｌ，Ｓ７５Ｂｍ，Ｓ７５Ｂｎ，Ｓ７５Ｃｋ，Ｓ７５Ｃｌ，Ｓ７５Ｃｍ，Ｓ７５Ｃｎ  相関算出結果、Ｓ９０Ａｋ，Ｓ９０Ａｌ，Ｓ９０Ａｍ，Ｓ９０Ａｎ，Ｓ９０Ｂｋ，Ｓ９０Ｂｌ，Ｓ９０Ｂｍ，Ｓ９０Ｂｎ，Ｓ９０Ｃｋ，Ｓ９０Ｃｌ，Ｓ９０Ｃｍ，Ｓ９０Ｃｎ  ピーク位置検出結果、Ｓ１１１Ａｋ，Ｓ１１１Ａｌ，Ｓ１１１Ａｍ，Ｓ１１１Ａｎ，Ｓ１１１Ｂｋ，Ｓ１１１Ｂｌ，Ｓ１１１Ｂｍ，Ｓ１１１Ｂｎ，Ｓ１１１Ｃｋ，Ｓ１１１Ｃｌ，Ｓ１１１Ｃｍ，Ｓ１１１Ｃｎ  ピーク位置差分、Ｓ１１５Ａｋ，Ｓ１１５Ａｌ，Ｓ１１５Ａｍ，Ｓ１１５Ａｎ，Ｓ１１５Ｂｋ，Ｓ１１５Ｂｌ，Ｓ１１５Ｂｍ，Ｓ１１５Ｂｎ，Ｓ１１５Ｃｋ，Ｓ１１５Ｃｌ，Ｓ１１５Ｃｍ，Ｓ１１５Ｃｎ  累積加算結果（ピーク位置評価結果）。
【図１】
2010278827.tif 000003
【図２】
2010278827.tif 000004
【図３】
2010278827.tif 000005
【図４】
2010278827.tif 000006
【図５】
2010278827.tif 000007
【図６】
2010278827.tif 000008
【図７】
2010278827.tif 000009
【図８】
2010278827.tif 000010
【図９】
2010278827.tif 000011
【図１０】
2010278827.tif 000012
【図１１】
2010278827.tif 000013
【図１２】
2010278827.tif 000014
【図１３】
2010278827.tif 000015
【図１４】
2010278827.tif 000016
【図１５】
2010278827.tif 000017
【図１６】
2010278827.tif 000018
【図１７】
2010278827.tif 000019
【図１８】
2010278827.tif 000020
【図１９】
2010278827.tif 000021